(57)【特許請求の範囲】
【請求項１】
柱に固定される固定部を側壁に有し、前記固定した時には配線器具を取り付けるための上下一対の取付部を１組又は複数組備えた四角形状の第１の配線ボックスと、
柱に固定される固定部を側壁に有し、前記固定の際には配線器具を取り付けるための上下一対の取付部を前記第１の配線ボックスの取付部よりも多い組数に備えた四角形状の第２の配線ボックスと、
前記第１の配線ボックスを前記柱から離間させて固定させるための離間形成部を有して前記第１の配線ボックスと前記柱との間に介在させる位置決め具と、からなり、
前記各配線ボックスは、前記各固定部により柱に固定した時には前記柱に最寄りの取付部のセンターと前記柱との距離が同一となる様に設けられ、
さらに、各取付部のセンター間が共に同一の間隔（Ｗ）となるように設けられ、
Ｌ＝（第２の配線ボックスの取付部の組数−第１の配線ボックスの取付部の組数）×間隔（Ｗ）、
を定義した時に、
前記離間形成部は、前記離間させる距離が、Ｌ／２若しくはＬと同一の距離となるように形成されたことを特徴とする配線器具の取付装置。
【請求項２】
柱に固定される固定部を側壁に有し、前記固定した時には配線器具を取り付けるための上下一対の取付部を１組備えた四角形状の第１の配線ボックスと、
柱に固定される固定部を側壁に有し、前記固定の際には配線器具を取り付けるための上下一対の取付部を２組備えた四角形状の第２の配線ボックスと、
前記第１の配線ボックスを前記柱から離間させて固定させるための離間形成部を有して前記第１の配線ボックスと前記柱との間に介在させる位置決め具と、からなり、
前記各配線ボックスは、前記各固定部により柱に固定した時には前記柱に最寄りの取付部のセンターと前記柱との距離が同一となる様に設けられ、
前記離間形成部は、前記離間させる距離が、前記第２の配線ボックスの２つの取付部のセンター間の間隔（Ｗ）の半分の距離若しくは前記間隔（Ｗ）と同一の距離となるように形成されたことを特徴とする配線器具の取付装置。
【請求項３】
柱に固定される固定部を側壁に有し、前記固定した時には配線器具を取り付けるための上下一対の取付部を２組備えた四角形状の第１の配線ボックスと、
柱に固定される固定部を側壁に有し、前記固定の際には配線器具を取り付けるための上下一対の取付部を３組備えた四角形状の第２の配線ボックスと、
前記第１の配線ボックスを前記柱から離間させて固定させるための離間形成部を有して前記第１の配線ボックスと前記柱との間に介在させる位置決め具と、からなり、
前記各配線ボックスは、前記各固定部により柱に固定した時には前記柱に最寄りの取付部のセンターと前記柱との距離が同一となる様に設けられ、
さらに、各取付部のセンター間が共に同一の間隔（Ｗ）となるように設けられ、
前記離間形成部は、前記離間させる距離が、前記間隔（Ｗ）の半分の距離若しくは前記間隔（Ｗ）と同一の距離となるように形成されたことを特徴とする配線器具の取付装置。
【請求項４】
位置決め具が、柱に固定される固定座を備えたことを特徴とする請求項１〜３のいずれか記載の配線器具の取付装置。
【請求項５】
位置決め具が、第１の配線ボックスと連結する連結部を備えたことを特徴とする請求項１〜４のいずれか記載の配線器具の取付装置。
【請求項６】
請求項１記載の配線器具の取付装置において、
離間させる距離が「間隔（Ｗ）の半分」の２倍以上の場合には、位置決め具に代えて、離間形成部の離間させる距離が「間隔（Ｗ）の半分」の距離である別の位置決め具を重ねた集積体を柱と第１の配線ボックスの間に介在させることを特徴とする配線器具の取付装置。
【請求項７】
請求項２又は３のいずれか記載の配線器具の取付装置において、
離間させる距離が間隔（Ｗ）の場合には、位置決め具に代えて、離間形成部の離間させる距離が間隔（Ｗ）の半分の距離である別の位置決め具を２つ重ねた集積体を柱と第１の配線ボックスの間に介在させることを特徴とする配線器具の取付装置。
【請求項８】
重ねる位置決め具は、互いに係合可能な係合部を備えたことを特徴とする請求項６又は７記載の配線器具の取付装置。
【発明の詳細な説明】
【技術分野】
【０００１】
本発明は、コンセントやスイッチなどの配線器具を収容し、建物を構成する柱に固定する配線ボックスを用いた、壁面に配線器具を配設するための配線器具の取付装置に関する。
【背景技術】
【０００２】
例えば建物の壁に、コンセントやスイッチなどの配線器具を配設する場合には、これら配線器具を収容する配線ボックスを柱の側面などに固定しておき、これに配線器具を取り付けて収容させている（特許文献１参照）。具体的には図１７に示すように、配線器具１が取着された配線器具取付枠２を、配線ボックス１０の上下一対に備えられた一組の取付部１３に取り付け、これにより配線器具１を収容し、その上から、ビス止めや嵌着により化粧プレート３を取り付けている。収容する配線器具１を増やす場合には、配線器具取付枠２を横に２組、３組と必要なだけ取り付けられる配線ボックスを用いている。
【０００３】
一般に配線器具取付枠２は左右対称であり、その左右中央に配線器具１のセンターＸ’（配線器具の器具幅中央）が一致するように取着してある。配線器具取付枠２はその中央上下を、配線ボックス１０の上下に備えられている取付部１３にビス止めなどにより取り付けされるようになっている。配線ボックスの大半は、このように取付部１３のセンターＸと配線器具１のセンターＸ’が一致するようになっている。
またこのような配線ボックス１０が同じ柱１００の上下に２つ固定される場合には、図１８に示すように、配線ボックス１０の柱側の側壁１４ａが上下揃って固定されている。
【０００４】
【特許文献１】特開２００３−１４３９３９号公報
【発明の開示】
【発明が解決しようとする課題】
【０００５】
このように配線ボックスを上下に並べて固定する場合、配線器具の収容組数が上下で異なると配線ボックスの横幅も異なり、よって上下の配線ボックスはボックスの横幅中央Ｙａ，Ｙｂも揃わなくなる。これは配線ボックスを柱側の側壁１４ａを揃えて固定するためであり、上下で横幅が異なるために柱と反対側の側壁が揃わなくなるのであるが、その結果これら配線ボックスに取り付けられた配線器具の配設幅中央も揃わなくなっている。ここで「配設幅中央」とは、配線器具を横に何組か配設させた場合の、左右両端の配線器具の各センターＸ’間の中央位置をいう。但し、配線器具が１組の配線ボックスによる場合は、その配線器具の器具幅中央を「配設幅中央」ということとする。
【０００６】
いずれにしても配線ボックスの収容組数が異なる場合は、上下の配設幅中央が揃わず、これが美観を損ねることとなっている。よって配線器具は、配設幅中央を揃えて配設されることが望ましい。あるいは、配設幅中央を揃えたいだけではなく、配線器具を配設する壁の内装状況によっては、柱と反対側の配線器具のセンターを上下揃えたい場合もある。
【０００７】
本発明は、以上のような問題に対してなされたものであり、その目的は、柱に固定される配線ボックスが上下に複数配設される場合には、これにより配設される上下の配線器具の配設幅中央を揃えることのできる配線器具の取付装置、若しくは、柱と反対側の配線器具のセンターを揃えることのできる配線器具の取付装置を提供することにある。
【課題を解決するための手段】
【０００８】
以上の目的を達成するため、請求項１記載の発明は、(a)柱に固定される固定部を側壁に有し、前記固定した時には配線器具を取り付けるための上下一対の取付部を１組又は複数組備えた四角形状の第１の配線ボックスと、(b)柱に固定される固定部を側壁に有し、前記固定の際には配線器具を取り付けるための上下一対の取付部を前記第１の配線ボックスの取付部よりも多い組数に備えた四角形状の第２の配線ボックスと、(c)前記第１の配線ボックスを前記柱から離間させて固定させるための離間形成部を有して前記第１の配線ボックスと前記柱との間に介在させる位置決め具と、からなる配線器具の取付装置である。
【０００９】
ここで、前記各配線ボックスは、前記各固定部により柱に固定した時には前記柱に最寄りの取付部のセンターと前記柱との距離が同一となる様に設けられ、さらに、各取付部のセンター間が共に同一の間隔Ｗとなるように設けられ、また、
Ｌ＝（第２の配線ボックスの取付部の組数−第１の配線ボックスの取付部の組数）×間隔Ｗ、
を定義した時に、前記離間形成部は、前記離間させる距離が、Ｌ／２若しくはＬと同一の距離となるように形成されたことを特徴としている。
【００１０】
なお、「（第１の配線ボックスの組数）及び（第２の配線ボックスの組数）の組合せ」により、離間させる距離「Ｌ／２、Ｌ」がそれぞれどのようになるかは、図１６の表に示す関係になる。またここで、
(a)離間させる距離＝Ｌ／２の時は、配線器具の配設幅中央が揃い、
(b)離間させる距離＝Ｌの時は、柱と反対側の各配線器具センターを揃えることができるのである。
【００１１】
請求項２記載の発明を後述する実施例の図を参照しながら説明する。請求項２記載の発明は、請求項１とは独立の発明ながら、請求項１に於いて、図８に示すように、第１の配線ボックスが取付部を１組備え、第２の配線ボックスが取付部を２組備えた場合と同様の発明である。請求項１におけるＬは、本請求項２における第２の配線ボックスの２組の取付部のセンター間の間隔Ｗと同一になる。つまり離間形成部は、離間させる距離が、第２の配線ボックスの２組の取付部のセンター間の間隔の半分（Ｗ／２）の距離若しくは前記間隔と同一の距離（Ｗ）となるように形成される。
【００１２】
請求項３記載の発明も、請求項１とは独立の発明ながら、請求項１に於いて、図１１に示すように、第１の配線ボックスが取付部を２組備え、第２の配線ボックスが取付部を３組備えた場合と同様の発明である。請求項１におけるＬは、本請求項３における各取付部のセンター間の間隔と同一になる。つまり離間形成部は、離間させる距離が、間隔の半分の距離若しくはその間隔と同一の距離となるように形成される。
【００１３】
請求項４記載の発明は、請求項１〜３のいずれか記載の配線器具の取付装置において、位置決め具が、柱に固定される固定座を備えたことを特徴とする。
【００１４】
請求項５記載の発明は、請求項１〜４のいずれか記載の配線器具の取付装置において、位置決め具が、第１の配線ボックスと連結する連結部を備えたことを特徴とする。
【００１５】
請求項６記載の発明は、請求項１記載の配線器具の取付装置において、離間させる距離が「間隔（Ｗ）の半分」の２倍以上の場合には、位置決め具に代えて、図１２、図１４〜１５に示すように、離間形成部の離間させる距離が「間隔（Ｗ）の半分」の距離である別の位置決め具を重ねた集積体を柱と第１の配線ボックスの間に介在させることを特徴とする。
【００１６】
請求項７記載の発明は、請求項２又は３のいずれか記載の配線器具の取付装置において、離間させる距離が間隔（Ｗ）の場合には、位置決め具に代えて、図１４〜１５に示すように、離間形成部の離間させる距離が間隔（Ｗ）の半分の距離である別の位置決め具を２つ重ねた集積体を柱と第１の配線ボックスの間に介在させることを特徴とする。
【００１７】
請求項８記載の発明は、請求６又は７記載の配線器具の取付装置において、重ねる位置決め具が、図１３に示すように、互いに係合可能な係合部を備えたことを特徴とする。
【発明の効果】
【００１８】
以上の構成により、本発明は次のような効果を奏する。請求項１記載の発明によれば、第１の配線ボックスを柱から離間させることにより、後述する実施例１〜２の図８、図１１に示すように、第１の配線ボックスと第２の配線ボックスの横幅中央を揃えることができ、その結果、上下に配設した配線器具の各配設幅中央を揃えることができる。あるいは図１４〜１５に示すように、第１の配線ボックスと第２の配線ボックスの柱と反対側の取付部のセンターを揃えることができ、その結果、上下に配設した配線器具は、柱と反対側の各配線器具センターを揃えることができる。
また第１の配線ボックスより第２の配線ボックスの方が備える配線器具取付部の組数が多い限りに於いては、それがどの様な組数同士の組合せであっても配設幅中央を揃えることができる。そしてこれにより、配線器具の配設に美観をもたらすことができる。
【００１９】
請求項２記載の発明によれば、取付部が１組と２組の配線器具が上下に配設される場合、また請求項３記載の発明によれば、取付部が２組と３組の配線器具が上下に配設される場合、共にこれら配線器具の配設幅中央を揃えることができる。あるいは、柱と反対側の配線器具のセンターを揃えることができる。そしてこれらにより、配線器具の配設に美観をもたらすことができる。
【００２０】
請求項４記載の発明によれば、固定座を備えたことにより、位置決め具の柱への固定が可能となる。
【００２１】
請求項５記載の発明によれば、連結部を備えたことにより、位置決め具の第１配線ボックスとの連結が可能となる。
【００２２】
請求項６記載の発明によれば、上下に配設した配線器具の組数が様々であっても、離間させる距離が「（取付部センター間の）間隔Ｗの半分」の位置決め具を重ねることで、配設幅中央を揃えることができる。つまり上下がどのような組数であっても、準備する位置決め具は、離間させる距離が「間隔Ｗの半分」のもの１種類だけで、(a)配設幅中央を揃えることと、(b)柱と反対側の配線器具のセンターを揃えることとの双方に対応でき、様々な組数の(a)と(b)との配設に対応する位置決め具を、多種類準備する必要がない。
【００２３】
請求項７記載の発明によれば、配線器具の配設幅中央を揃えるための位置決め具を２重ねることで、柱と反対側の配線器具のセンターを揃えることのできる。つまり準備する位置決め具は、離間させる距離が「間隔Ｗの半分」のもの１種類だけで、(a)配設幅中央を揃えることの他に、(b)柱と反対側の配線器具のセンターを揃えることにも対応でき、これら(a)と(b) との配設に対応する２種類の位置決め具を準備する必要がない。
【００２４】
請求項８記載の発明によれば、係合部を備えたことにより、２つの位置決め具を重ねて係合させることが可能となる。
【発明を実施するための最良の形態】
【００２５】
つぎに、本発明を実施するための、配線ボックスと位置決め具の最良の形態を、図面に基づき説明する。配線ボックスは一般に、その用い方により第１の配線ボックスであったり第２の配線ボックスになったりするので、まず単に配線ボックスとして説明し、後述する実施例の説明で、「第１の配線ボックス」及び「第２の配線ボックス」との呼び方で説明する。配線ボックスも位置決め具も共にプラスチック製である。
【００２６】
［取付部が１組の配線ボックス］。
取付部が１組の配線用ボックス１０は、後述する実施例１の図１〜図４に示すように前方に開口した四角箱状をなしており、ボックス本体１１と、ボックス本体の背面壁１２に形成された取付部１３と、ボックス本体１１の側壁１４ａに形成された固定部１５から主に構成されている。なお、以降に述べる配線ボックスの説明中での上下、前後、左右とは、特に断らない限り図１にそれぞれ矢印で示している方向をいう。
【００２７】
ボックス本体１１は、矩形板状の背面壁１２とこの背面壁１２の周縁から前方に延出して形成された上壁１４ｂ、下壁１４ｃ、そして左右一対の側壁１４ａからなっている。そして背面壁１２に対向する面（前面）部分には、図示しないコンセント、スイッチ等の配線器具を装入可能な開口が形成されている。
【００２８】
取付部１３は、一対の配線器具を背面壁１２の内側に取り付けるためのものであり、よって取付部１３も一対１組となって、背面壁１２の内面側に上下の縦列状をなしている。
【００２９】
配線ボックス１０に備えられた固定部１５は、配線ボックス１０の側壁１４ａの一方に備えられたものであり、柱にネジ締めするためのネジ溝１６と、ネジ締めにより柱に当接する当接部１７とを有している。また固定部１５は柱に固定する他、後述する位置決め具２０との連結にも用いられるものである。これはこの実施形態で述べる配線ボックス１０は、本願発明の取付装置の一部として用いられるものではあるものの、従来技術として特許文献１に示した配線ボックスのように、本願発明の用途とは別に、柱に直接固定して単体で用いる配線ボックス１０でもあるからである。
【００３０】
ネジ溝１６は、側壁１４ａに貫通した前後方向に延びる溝であり、この側壁１４ａの内側からタッピンネジを挿して柱にネジ締めするために設けられている。このネジ溝１６（１６ａ，１６ｂ，１６ｃ）は、側壁１４ａの上段、中段、下段の３箇所設けられており、中段１箇所をネジ締めしたり、上段と下段の２箇所をネジ締めすることが選択できるようになっている。また図４に示したように、このネジ溝１６の後端は、背面壁１２にまで延びてネジ溝１６の幅よりも少し広い挿入口１８を開口させている。これはネジ締めする時に、まず柱にタッピンネジを途中まで仮締めしておき、柱から突き出ているタッピングネジを配線ボックス１０の挿入口１８からネジ溝１６ｂに入れてゆくことにより、配線ボックス１０を柱に仮固定するためである。
【００３１】
当接部１７は、配線ボックス１０を柱から少し離して取り付けるためのものであり、凸条１７’を側壁１４ａに側面視略コの字状に形成されている。この凸条１７’は柱から配線ボックス１０を離す距離と同じ距離の高さであり、柱への当接面１７ａは面一になっていて、これにより柱に固定すると配線ボックスは垂直な姿勢で、且つ配線ボックス１０の前面は（建物の）壁面に平行となる姿勢をとることができるように形成されている。
また中段のネジ溝１６ｂには、溝の各両側に、当接部１７の凸条１７’よりは僅かに低い凸条１９が形成されており、そのため柱には当接しないようになっている。
【００３２】
［取付部が２組以上の配線ボックス］。
取付部１３が２組の配線ボックス１０は、後述する実施例１の図８中の１０Bに示すように、２組の取付部１３が並列に備えられており、取付部が３組の配線ボックスは、後述する実施例２の図１１中に示すように、３組の取付部１３が並列に備えられている。並列に備えられた取付部は、そのセンター間が、第１の配線ボックスと第２の配線ボックスとで共に同一の間隔Ｗとなっている。又いずれの配線ボックスも、組数の分だけ横幅が大きくなっている点が、取付部１３が１組の配線ボックスと異なるが、その他の点は、同じである。すなわち、矩形板状の背面壁１２から上壁１４ｂ、下壁１４ｃ、側壁１４ａが延長形成され、前面が開口し、一方の側壁１４ａには固定部１５が１組用の配線ボックス１０同様に設けられている。固定部１５はそのネジ溝１６も当接部１７も１組用の配線ボックス同様に設けられている。取付部１３が４組以上の配線ボックスも同様に構成されている。
【００３３】
［位置決め具］。
位置決め具２０は、図５〜６に示すように、柱に固定させるための固定座２１と、この固定座２１から所定高さに設けられた離間形成部２２と、この離間形成部２２に立設させた配線ボックス１０との連結部２３とを有している。なお位置決め具２０の以下の説明中における上下、前後、左右は図６に示した方向をいう。
【００３４】
位置決め具２０の固定座２１は左右に長い略矩形をなし、柱に当接する当接面２１ａが、配線ボックス１０の固定部１５の当接面１７ａと近似した底面視略コの字状をなしている。そしてネジ溝２４（２４ａ，２４ａ，２４ｂ）が左右端と中央の３カ所に設けられている。特に中央のネジ溝２４ｂは後端が開放された開口２５になっており、柱に仮締めしたタッピンネジをこのネジ溝２４ｂに入れることができるようになっている。またこの中央のネジ溝２４ｂは、ネジの頭部が締め付けられる溝縁２６が所定の高さに形成され、後述する実施例３で示すように２つの位置決め具２０を重ねて連結するときには、相手の連結部２３が係止できる高さになっている。
【００３５】
離間形成部２２は、固定座２１の上に設けられ、固定座２１の当接面２１ａと平行な上面が、配線ボックス１０の固定部１５の当接面１７ａを受ける受け面２２ａを有している。この受け面２２ａは固定部１５の（コの字状の）当接面１７ａを受けられる面形状をなしており、また配線ボックス１０を柱から離間させたい距離と同じ距離の高さを有している。また受け面２２ａの前辺２２ｂ側には、受け面２２ａから僅かに突き出る爪部２７が設けられている。
【００３６】
連結部２３は、受け面２２ａの左右中央にて前後方向に立設させた板状をなし、板状の頂辺には幅広の係止片２３ａが前後方向に形成されている。この連結部２３は配線ボックスに設けられている中段のネジ溝１６ｂに連結させるためのものであり、後述の実施例１の図１０に示すように、ネジ溝１６ｂの後端に延設された挿入口１８から、連結部２３を入れることにより、連結されるようになっている。その為に連結部２３はネジ溝１６ｂに入り得る厚みをなし、また係止片２３ａはネジ溝１６ｂより広く形成させて、側壁１４ａの内側から外側にネジ溝１６ｂを抜け出ることのないようになっている。
【００３７】
以下に示す各実施例で用いている各配線ボックス１０と位置決め具２０の構成は、上述した各配線ボックス１０と位置決め具２０の構成と同じである。
【実施例１】
【００３８】
実施例１は、図１〜４に示すような取付部を１組有する第１の配線ボックス１０Ａと、取付部を２組有する第２の配線ボックス１０Ｂと、図５〜６に示す位置決め具２０を有した取付装置の実施例である。そして請求項１〜２の実施例でもあり、更に請求項４〜５の実施例でもある。図７〜図８は実施例１における配線器具の取付装置を柱に固定した状態で示す図であり、配線器具を１組配設するための第１の配線ボックス１０Ａと、２組配設するための第２の配線ボックス１０Ｂと、位置決め具２０とからなっている。
【００３９】
各配線ボックス１０Ａ，１０Ｂと位置決め具２０を用いた本実施例の取付装置の使用方法を説明する。まず位置決め具２０を柱１００に固定させるのであり、位置決め具２０は図９に示すように、離間形成部２２の前辺２２ｂに設けられている爪部２７が前面に位置する姿勢で固定する。それにはまず、柱１００の側面１０１にタッピンネジを途中まで締め込み、位置決め具２０中央のネジ溝２４ｂの、後端の開口２５（図５参照）からタッピンネジを入れ、位置決め具２０の前後位置を定めてから最終的にネジ締めをするのである。あるいは位置決め具を柱に宛って最初に前後位置などを定めておき、その状態で直接ネジ締めをしてもよく、この場合は図９に示すように、離間形成部の前辺２２ｂの中央に凹設された凹部２２ｃが、ドライバを差し入れるスーペストして作業を助けることができる。なお締めるネジ溝２４は、中段２４ｂでも上下段２４ａの２つでもよい。
【００４０】
次に第１の配線ボックス１０Ａを位置決め具２０と連結させて取り付ける。これには、図９に示したように、連結部２３の前方から第１の配線ボックス１０Ａの中段のネジ溝１６ｂを入れるのであり、この時図１０で示すように、連結部２３の前端にネジ溝１６ｂ後端の挿入口１８を宛うようにして入れ、そのままネジ溝１６ｂに連結部２３を入れるのである。入れ切ると位置決め具２０の爪部２７が、第１の配線ボックス１０Ａの当接部１７の前部１７ｂに当たるが、更に強く押し込むと、爪部２７がこの前部１７ｂを乗り越えて図７に示したように前部１７ｂに係止されて互いに外れなくなり、このようにして第１の配線ボックス１０Ａが位置決め具２０とが連結されるのである。また連結された時には、第１の配線ボックス１０Ａの固定部１５が、位置決め具２０の受け面２２ａに当接するように連結されるのでガタつかないように連結できるが、これはネジ溝１６ｂに係止する連結部２３の高さが、固定部１５を受け面２２ａに当接させるような高さに形成されているからである。
【００４１】
次に第２の配線ボックス１０Ｂを柱１００に固定する。これもタッピンネジを用いて、第２の配線ボックス１０Ｂのネジ溝１６ｂに挿入口１８から通し、柱１００に固定するのである。位置決め具２０の取り付けの時と同様に、どのネジ溝１６を用いてもよく、ネジ１１０を仮締めした状態で前後位置をよく調整し、その後、本締めすればよい。あるいは柱に第２の配線ボックスを宛い、直接ネジ締めして柱１００に固定してもよい。
【００４２】
なお、位置決め具２０と第２の配線ボックス１０Ｂはどちらを先に柱１００に固定してもよく、第１の配線ボックス１０Ａの位置決め具２０との連結もいつ行ってもよい。
【００４３】
以上のようにして配線器具の取付装置を取り付け終わると、図８に示したように第１の配線ボックス１０Ａと第２の配線ボックス１０Ｂの横幅中央Ｙが揃うこととなり、結果、これら配線ボックス１０Ａ，１０Ｂに取り付けられる配線器具の設置幅中央Ｙ’も上下で揃うこととなる。内装工事が終了した段階では、配線ボックス１０Ａ，１０Ｂは壁や化粧カバーに隠れ、配線器具だけが壁表側に現れるが、この配線器具の配設は、その配設幅中央Ｙ’が揃うので、美観上、優れるのである。
【００４４】
また配線ボックスを上下に複数配置する場合、これらに接続される電線は天井などから壁面内を配線されるが、その場合、電線は上下複数の配線ボックスを上から順に通過しながら配線させている。このような場合、配線ボックスが図１８のように柱に寄っていると、収容組数の多い配線ボックスは、配線ボックスの片側（柱寄り）に配線を引き込ませることになるが、この場合、ボックス内では反対側（図中の右）にも電線を延ばすこととなる。組数の多い配線ボックスになると、左端から引き込んだ電線を、ボックス内の右端まで延ばさなければならず、ボックス内での電線の取り回しが複雑になってしまう。その点、本実施例のように上下の複数の配線ボックスの横幅中央Ｙが揃っていると、この横幅中央Ｙを上下に貫くように配線することにより、組数の多い配線ボックスであっても、ボックス内ではその中央から左右に電線を延ばせるので、取り回しの複雑さを抑えることができる。又その為に、各組数の配線ボックスの上壁／下壁の横幅中央付近には、電線が上下の配線ボックスに連通可能となるような穴を準備しておくとよい。
【００４５】
なお本実施例１を請求項１の実施例としてみた場合は、
「第２の配線ボックスの取付部の組数−第１の配線ボックスの取付部の組数＝２−１」であるために、「Ｌ＝（２−１）×間隔Ｗ＝間隔Ｗ」となる。そして本実施例は、Ｌがこの距離であって、且つ「離間させる距離がＬ／２」の場合の実施例なのである。
【００４６】
また第１の配線ボックス１０Ａは、本願発明の趣旨とは別に、単体で用いる場合には従来と同様に、柱１００に直接固定することができるのであり、つまり、従来からの配線ボックスを本発明の１構成として活用の範囲を広げるという効果も有するのである。
【実施例２】
【００４７】
次に、図１１に示す配線器具の取付装置の実施例２は、第１の配線ボックス１０Ａが取付部１３を２組有し、第２の配線ボックス１０Ｂが取付部１３を３組有する場合の実施例であり、更に位置決め具２０を有したものである。そして請求項１、請求項３の実施例でもあり、更に請求項４〜５の実施例でもある。
【００４８】
位置決め具２０と第２の配線ボックス１０Ｂの柱１００への固定方法は実施例１と同じである。また位置決め具２０と第１の配線ボックス１０Ａとの連結方法も同じである。そして、これらを固定して連結すると、図１１のように第１の配線ボックス１０Ａと第２の配線ボックス１０Ｂの横幅中央Ｙが揃い、その結果、配線器具の配設幅中央Ｙ’が揃うのである。
【００４９】
なお本実施例２を請求項１の実施例としてみた場合、
Ｌ＝（組数３−組数２）×間隔Ｗ、となり、且つ「離間させる距離がＬ／２」の場合の実施例なのである。
【実施例３】
【００５０】
次に、図１２に示す実施例３は、第１の配線ボックス１０Ａが取付部１３を１組有し、第２の配線ボックス１０Ｂが取付部１３を３組有する場合の実施例である。そして請求項１に従属する請求項６の実施例でもあり、更に請求項４〜５及び請求項８の実施例でもある。
【００５１】
この実施例３では、位置決め具２０や第２の配線ボックス１０Ｂの固定方法は実施例１〜２と同じである。ただ違いは、第１の配線ボックス１０Ａを固定するのに位置決め具２０を２つ重ねた集積体２０’を使う点である。即ちこの実施例に於いては、１つめの位置決め具２０Ａを実施例１〜２同様に柱に固定したら、図１３に示すように、その連結部２３にもう一つの位置決め具２０Ｂのネジ溝２４ｂを入れるのである。入れ切ると、実施例１〜２において第１の配線ボックス１０Ａを位置決め具２０に連結させた時と同様に、後から入れた位置決め具２０Ｂの固定座２１の前部２１ｂ（図５〜６参照）が、先に固定してある位置決め具２０Ａの爪部２７に当たるが、当たったところを更に強く押し込むと、先に固定してある位置決め具２０Ａの爪部２７が、相手２０Ｂの固定座２１の前部２１ｂを乗り越えて係止され、その結果、２つの位置決め具２０が係合しあった集積体２０’となるのである。このように、柱１００に固定した位置決め具２０Ａの連結部２３と、後から入れた位置決め具２０Ｂのネジ溝２４ｂとで、位置決め具２０が係合させる係合部をなしているのである。
【００５２】
このように実施例１〜２に用いたのと同じ位置決め具２０を２つ重ねて用いることにより、請求項６に記載されたように第１の配線ボックスを柱からＬ／２（＝（間隔Ｗの半分）×２）の距離だけ離間させることができ、その結果、第１の配線ボックス１０Ａおよび第２の配線ボックス１０Ｂによる上下の配設幅中央Ｙ’を揃えることができる。
【実施例４】
【００５３】
実施例４は、柱と反対側の配線器具のセンターを揃えようとする場合の実施例である。図１４は、第１の配線ボックス１０Ａが取付部１３を１組有し、第２の配線ボックス１０Ｂが取付部１３を２組有する場合であり、離間させる距離が取付部１３のセンターＸ間の半分（Ｗ／２）となる位置決め具を２つ重ね、第１の配線ボックス１０Ａを柱１００から離間させて固定することにより、第１及び第２の配線ボックス１０Ａ，１０Ｂは、柱１００と反対側の配線器具つまり右端の配線器具のセンターＸを揃えることがでるのである。
また第１の配線ボックス１０Ａが１組の取付部１３、第２の配線ボックスが３組の取付部１３の場合であれば、図１５に示すように、位置決め具２０を４つ重ねて用いることにより、柱１００と反対側の配線器具のセンターＸを揃えることができる。
【００５４】
以上の実施例１〜４に用いた位置決め具は、その離間させる距離が全て取付具のセンター間の間隔Ｗの半分のものであり、このように１種類の位置決め具で、以上に示した全ての実施例に対応できるのである。
【００５５】
例えば、４組の取付部を備えた配線ボックスと１組の取付部を備えた配線ボックスの組合せでそれぞれの配設幅中央を揃えるのに必要な離間距離３Ｗ／２は、離間距離Ｗ／２の位置決め具を３つ重ねた集積体で実現してもよく、また柱と反対側を揃えるための離間距離３Ｗは、同じ位置決め具を６つ重ねて実現してもよく、更には離間距離Ｗの別の位置決め具を３つ重ねて実現してもよい。
【００５６】
特に、取付部センター間が各配線ボックスで共通の間隔Ｗであり、且つ、各配線ボックスを柱に直接固定した時には、柱に最寄りの取付部のセンターと柱との距離が同一となるのであれば、位置決め具の離間距離をこれに対応してＷ／２としておくことにより、上下の組数がどのような組合せであっても、この１種類の位置決め具で、配設幅中央を揃えること、及び、柱の反対側のセンターを揃えることが全て可能となる。つまり位置決め具の共通化が図れるのである。
【００５７】
なお、本発明は上記実施例に限るものではなく、発明の趣旨から外れない範囲に於いてどのように実施されてもよい。配線ボックスの形状は実施例に限るものではなく、又その背面壁が無いものであってもよい。
【図面の簡単な説明】
【００５８】
【図１】この図は、実施態様に示す取付部を１組備えた配線ボックスの、(a)正面図、及び(b)左側面図である。
【図２】この図は、図１に示した配線ボックスの左前方からの斜視図である。
【図３】この図は、図１に示した配線ボックスの右前方からの斜視図である。
【図４】この図は、図１に示した配線ボックスの右後方からの斜視図である。
【図５】この図は、実施態様に示す位置決め具の、(a)正面図、及び(b)底面図である。
【図６】この図は、図５に示した位置決め具の左前方からの斜視図である。
【図７】この図は、実施例１に示した配線器具の取付装置を柱に固定させた図である。
【図８】この図は、実施例１の取付装置の正面からの図である。
【図９】この図は、位置決め具に配線ボックスを連結させる操作を説明する図である。
【図１０】この図も、位置決め具に配線ボックスを連結させる操作を説明する図である。
【図１１】この図は、実施例２に示した配線器具の取付装置を柱に固定させた正面からの図である。
【図１２】この図は、実施例３に示した配線器具の取付装置を柱に固定させた正面からの図である。
【図１３】この図は、位置決め具を２つ重ねて係合させる操作の図である。
【図１４】この図は、実施例４に示した配線器具の取付装置を柱に固定させた正面からの図である。
【図１５】この図も、実施例４に示した配線器具の取付装置を柱に固定させた正面からの図である。
【図１６】この図は、第１の配線ボックスと第２の配線ボックスの取付部の組数の様々な組み合わせと、離間させる距離との関係を示す表である。
【図１７】この図は、従来の配線ボックスに配線器具を取着させる様子を示した図である。
【図１８】この図は、従来の配線ボックスを柱に固定した様子の図である。
【符号の説明】
【００５９】
１０  配線ボックス
１０Ａ  第１の配線ボックス
１０Ｂ  第２の配線ボックス
１１  ボックス本体
１２  背面壁
１３  取付部
１４ａ  側壁
１４ｂ  上壁
１４ｃ  下壁
１５  固定部
１６  ネジ溝
１７  当接部
１７ａ  当接面
１７ｂ  前部
１８  挿入口
２０  位置決め具
２１  固定座
２２  離間形成部
２２ａ  受け面
２３  連結部
２３ａ  係止部
２４  ネジ溝
２５  開口
２７  爪部
１００  柱
１１０  タッピンネジ
【図１】
0004482892.tif 000002
【図２】
0004482892.tif 000003
【図３】
0004482892.tif 000004
【図４】
0004482892.tif 000005
【図５】
0004482892.tif 000006
【図６】
0004482892.tif 000007
【図７】
0004482892.tif 000008
【図８】
0004482892.tif 000009
【図９】
0004482892.tif 000010
【図１０】
0004482892.tif 000011
【図１１】
0004482892.tif 000012
【図１２】
0004482892.tif 000013
【図１３】
0004482892.tif 000014
【図１４】
0004482892.tif 000015
【図１５】
0004482892.tif 000016
【図１６】
0004482892.tif 000017
【図１７】
0004482892.tif 000018
【図１８】
0004482892.tif 000019